(57)【特許請求の範囲】
【請求項１】
人体の臀部から大腿部の背面側に当接可能で、押圧によって凹んで圧力を受け止める第一の当接体と、
人体の背中側に当接可能で、押圧によって凹んで圧力を受け止める第二の当接体と、
これら第一の当接体と第二の当接体とを連結し、これら第一の当接体と第二の当接体とが互いに角度を変えるのを許容する第一の連結体と、
人体の後頭部側に当接可能で、押圧によって凹んで圧力を受け止める、上記第二の当接体に着脱自在に取り付けられる第三の当接体と、
これら第二の当接体と第三の当接体とを着脱自在に連結し、これら第二の当接体と第三の当接体とが互いに角度を変えるのを許容する第二の連結体と、
上記第二の当接体の側において、この第三の当接体の縁を凹ませて当該縁が湾曲され、頭部の幅にほぼ等しい幅の第三の凹部と、
人体の左右の腰付近の外側に当接可能で、押圧によって凹んで圧力を受け止める、上記第二の当接体に着脱自在に取り付けられ、全体としてカーブして湾曲している第四の当接体と、
上記第一の当接体または上記第二の当接体とこの第四の当接体とを着脱自在に連結し、これら第一の当接体または第二の当接体と第四の当接体とが互いに角度を変えるのを許容する第三の連結体と、
上記第一の当接体の側であって、上記全体としてカーブした湾曲部分において、上記第四の当接体の縁を凹ませて当該縁が湾曲され、頭部の幅にほぼ等しい幅の第四の凹部とを備えたことを特徴とする人体当接具。
【請求項２】
上記第三の当接体と第四の当接体とは同じものであり、上記第三の当接体と第四の当接体とは付け替え可能であることを特徴とする請求項１記載の人体当接具。
【請求項３】
上記第三の凹部は、人体当接具の人体が当接する表側から反対側の裏側まで貫通した穴の状態であり、上記第二の連結体は、この穴の状態の第三の凹部の両端の第三の当接体と第二の当接体との間に設けられていることを特徴とする請求項２記載の人体当接具。
【請求項４】
上記第四の凹部は、人体当接具の人体が当接する表側から反対側の裏側まで貫通した穴の状態であり、上記第三の連結体は、この穴の状態の第四の凹部の両端の第四の当接体と第一の当接体または第二の当接体との間に設けられていることを特徴とする請求項３記載の人体当接具。
【請求項５】
上記第一の当接体の人体が当接する表側には、当該第一の当接体の縁まで達する複数の第一の溝が形成され、  上記第二の当接体の人体が当接する表側には、当該第二の当接体の縁まで達する複数の第二の溝が形成され、  これら第一の当接体と第二の当接体とを重ねたとき、これら第一の溝と第二の溝とが重なりあうことを特徴とする請求項４記載の人体当接具。
【発明の詳細な説明】
【技術分野】
【０００１】
本発明は、人体当接具に関し、車椅子、乳母車、車両、椅子などの人が乗る移動体または座るものに取り付けられ、人の乗り心地を向上させるものに関する。
【背景技術】
【０００２】
このような人体当接具は、車椅子、乳母車、車両、椅子などの乗り心地またはすわり心地を良くするために、種々のものが考えられてきた。
【０００３】
【特許文献１】特許第４９４７７７１号公報
【特許文献２】特開２００２−１７７１１６号公報
【特許文献３】特開２００６−２０４７５４号公報
【特許文献４】特開２００７−１６０１１７号公報
【発明の開示】
【発明が解決しようとする課題】
【０００４】
本発明は、上述した課題を解決・達成するためになされたものであり、本発明の目的は、車椅子、乳母車、車両、椅子などの乗り心地または座り心地を従来より良くすることにある。
【課題を解決するための手段】
【０００５】
このため、本発明の人体当接具は、  人体の臀部から大腿部の背面側に当接可能で、押圧によって凹んで圧力を受け止める第一の当接体と、  人体の背中側に当接可能で、押圧によって凹んで圧力を受け止める第二の当接体と、  これら第一の当接体と第二の当接体とを連結し、これら第一の当接体と第二の当接体とが互いに角度を変えるのを許容する第一の連結体と、  人体の後頭部側に当接可能で、押圧によって凹んで圧力を受け止める、上記第二の当接体に着脱自在に取り付けられる第三の当接体と、  これら第二の当接体と第三の当接体とを着脱自在に連結し、これら第二の当接体と第三の当接体とが互いに角度を変えるのを許容する第二の連結体と、  上記第二の当接体の側において、この第三の当接体の縁を凹ませて当該縁が湾曲され、頭部の幅にほぼ等しい幅の第三の凹部とを備えた。
【発明の効果】
【０００６】
これにより、第三重み付け凹部の幅が、第三の当接体の縁を凹ませて当該縁が湾曲され、頭部の幅にほぼ等しいので、頭部が安定し、頭部を背中側にもたれさせても安定して、すわり心地または乗り心地が良くなる。
【図面の簡単な説明】
【０００７】
【図１】人体当接具の外観を示す。
【図２】第三の当接体３及び第二の連結体１２等を示す。
【図３】第四の当接体４及び第三の連結体１３等を示す。
【図４】第一の当接体１または第二の当接体２の内部構造及び断面を示す。
【図５】第三の当接体３または第四の当接体４の内部構造及び断面を示す。
【発明を実施するための最良の形態】
【０００８】
（１）第一の当接体１及び第二の当接体２、第一の連結体１１
図１は人体当接具の外観を示す。本人体当接具が使用される人体は、乳幼児、子供、大人、東洋人、西洋人、肥満体、やせ形体など、当接する人体の大きさによって寸法も変更される。本実施形態では平均的な東洋人の大人を想定している。
【０００９】
第一の当接体１は長方形状の板状で、幅数十ｃｍ、長さ数十ｃｍで、幅が長さより若干長い。この第一の当接体１は、人体の臀部から大腿部の背面側に当接可能であり、押圧によって凹んで圧力を受け止め、人体のこれらの部位にフレームその他の部分が直接当たるのを防ぐ。
【００１０】
この第一の当接体１の大腿部側の厚さは十数〜数ｃｍ、臀部側の厚さは数ｃｍであり、第一の当接体１の上面は  大腿部から臀部に向かって下るように傾斜している。これにより、第一の当接体１の上に人が座った時、人の大腿部側がずり落ちず、臀部側にずれる力が働き、第一の当接体１の上の人体が安定する。
【００１１】
第二の当接体２は長方形状の板状で、幅数十ｃｍ、長さ数十ｃｍで、幅が長さより若干長い。この第二の当接体２は、人体の背中側に当接可能であり、押圧によって凹んで圧力を受け止め、人体のこれらの部位にフレームその他の部分が直接当たるのを防ぐ。この第二の当接体２の厚さは数ｃｍで、ほぼ均一である。
【００１２】
上記第一の当接体１の臀部側の端の上角縁と、上記第二の当接体２の背中の下側の端の前角縁とは布によって、これらの第一の当接体１及び第二の当接体２の表面の布が延出されて、互いに縫合され、互いに連結されて第一の連結体１１となっている。
【００１３】
この第一の連結体１１の厚さは数ｍｍほどで、容易に撓むので、第一の当接体１と第二の当接体２とが互いに容易に角度が変わるのが許容される。これら第一の当接体１及び第二の当接体２発泡ウレタンなどのクッションが内蔵され、クッション性がある。
【００１４】
上記第一の当接体１の前縁から後縁にかけて、つまり大腿部から臀部にかけて、直線状に平行に縫合されて、三本の第一の溝２１…が第一の当接体１に形成されている。この三本の第一の溝２１…は、第一の当接体１のクッション性に対抗して、第一の当接体１の表面と裏面とを連結するようにして縫合されて表裏面に形成されている。
【００１５】
上記第二の当接体２の上縁から下縁にかけて、つまり背中の上部から下部にかけて、直線状に平行に縫合されて、三本の第二の溝２２…が第二の当接体２に形成されている。この三本の第二の溝２２…は、第二の当接体２のクッション性に対抗して、第二の当接体２の表面と裏面とを連結するようにして縫合されて表裏面に形成されている。
【００１６】
これら三本の第一の溝２１…と三本の第二の溝２２…とは、第一の連結体１１を中心線として左右対称となる位置及び形状に縫合されている。したがって、上記第一の連結体１１で第一の当接体１と第二の当接体２とを折り曲げて畳んで、第一の当接体１及び第二の当接体２の表面どうしを重ねたとき、これら第一の溝２１…と第二の溝２２…とは重なりあう。
【００１７】
これにより、第一の溝２１…と第二の溝２２…とが途中でふさがれず、第一の当接体１の第二の当接体２との折り畳んだ内部、つまり人体当接具の内部が、重なりあって太くなった第一の溝２１…及び第二の溝２２…で外とつながり、重ねても通気性が向上し、第一の当接体１及び第二の当接体２に吸収された汗などの湿気が容易に発散され、快適となり、雑菌増殖を防ぎ、褥瘡も防げる。
【００１８】
なお、第一の溝２１…及び第二の溝２２…は、第一の当接体１及び第二の当接体２の表側のみに形成してもよいし、裏側のみに形成してもよい。
【００１９】
上記第二の当接体２の左右両側面の上方の肩付近には二本の紐３１、３１が縫合されており、この紐３１、３１は車椅子、乳母車、椅子、シートの肩、首付近のフレームなどに結び付けられる。これにより、本人体当接具の第二の当接体２を倒れないように固定できる。
【００２０】
上記第二の当接体２の左右両側面の上方であって、紐３１、３１のそばにはポケット３２、３２が形成されており、このポケット３２、３２内に上記紐３１、３１を収納できる。これにより、紐３１、３１を使わないとき、紐３１、３１が邪魔にならず、紐３１、３１が絡まることがない。
【００２１】
上記第一の当接体１の左右両側面の後方の臀部付近には二本の紐３３、３３が縫合されており、この紐３３、３３は車椅子、乳母車、椅子、シートの臀部付近のフレームなどに結び付けられる。これにより、本人体当接具を車椅子、乳母車、椅子、シートなどに固定でき容易に離脱しない。
【００２２】
上記第一の当接体１の左右両側面の後方であって、紐３３、３３のそばにはポケット３４、３４が形成されており、このポケット３４、３４内に上記紐３３、３３を収納できる。これにより、紐３３、３３を使わないとき、紐３３、３３が邪魔にならず、紐３３、３３が絡まることがない。
【００２３】
上記第一の当接体１の左右両側面の前方の大腿部付近には二本の紐３５、３５が縫合されており、この紐３５、３５は車椅子、乳母車、椅子、シートの臀部付近のフレームなどに結び付けられる。これにより、本人体当接具を車椅子、乳母車、椅子、シートなどに固定でき容易に離脱しない。
【００２４】
上記第一の当接体１の左右両側面の後方であって、紐３５、３５のそばにはポケット３６、３６が形成されており、このポケット３６、３６内に上記紐３５、３５を収納できる。これにより、紐３５、３５を使わないとき、紐３５、３５が邪魔にならず、紐３５、３５が絡まることがない。
【００２５】
この紐３５、３５、ポケット３６、３６は無くてもよい。場合によって、上記紐３３、３３、ポケット３４、３４は無くてもよいし、上記紐３１、３１、ポケット３２、３２は無くてもよい。
【００２６】
（２）第三の当接体３、第二の連結体１２
図２は第三の当接体３及び第二の連結体１２等を示す。第三の当接体３は、軽量の粒状物４８、小玉、ビーズ、チューブなどが布内に内蔵され、可撓性があり、押圧によって凹んで圧力を受け止めることができる。この第三の当接体３は、ほぼ平坦で、細長く、全体としてカーブして湾曲している。
【００２７】
したがって、第三の当接体３の縁が凹んで湾曲して第三の凹部４１が形成されている。この第三の凹部４１の幅は人体の頭部の幅とほぼ同じである。この第三の凹部４１の両側の第三の当接体３の側縁には、それぞれ２本の紐からなる第二の連結体１２、１２が縫合されている。
【００２８】
この紐の第二の連結体１２、１２は、上記第二の当接体２の上方の上記紐３１、３１に結び付けたりほどいたりできる。これにより、第二の当接体２と第三の当接体３とを着脱自在に連結できるし、連結した状態で、第二の当接体２と第三の当接体３とが互いに角度を変えるのが許容される。
【００２９】
人体の背中が当接する第二の当接体２の上縁／上方に第三の当接体３が連結されるので、第三の当接体３には、人体の後頭部側が当接可能で、後頭部の押圧によって凹んで圧力を受け止めることができ、人体のこれらの部位にフレームその他の部分が直接当たるのを防ぐ。
【００３０】
第三の当接体３を第二の当接体２の上縁に連結すると、上記第三の凹部４１によって、本人体当接具の人体が当接する表側から反対側の裏側まで貫通した穴の状態となる。これにより、人体の後頭部から首筋の通気性及び放熱性が向上し、暑いときの人体の冷却効果を高め、湿気が容易に発散され、快適となり、雑菌増殖を防ぎ、褥瘡も防げる。
【００３１】
また、上記第二の連結体１２、１２は、この穴の状態の第三の凹部４１の両端の第三の当接体３と第二の当接体２との間に設けられることになる。これにより、貫通穴の状態の第三の凹部４１が、第二の連結体１２、１２でふさがれることがなく、上記通気性及び放熱性が保たれる。
【００３２】
また、第三の当接体３の上縁、下縁、左縁、右縁のうち、第二の当接体２の側である下縁に第三の凹部４１が位置する。これにより、第二の当接体２及び第一の当接体１に第三の当接体３を連結した状態で、本人体当接具を持ち運びするとき、この第三の凹部４１に手を掛けて容易に運ぶことができる。
【００３３】
（３）第四の当接体４、第三の連結体１３
図３は第四の当接体４及び第三の連結体１３等を示す。この第四の当接体４及び第三の連結体１３は、上記第三の当接体３及び第二の連結体１２と同じ構造である。また、第四の当接体４に形成された第四の凹部４２は、第三の凹部４１と同じ構造である。したがって、第四の当接体４、第三の連結体１３、第四の凹部４２の説明は上記第三の当接体３、第二の連結体１２、第三の凹部４１の説明を引用して省略する。
【００３４】
この第四の当接体４の紐の第三の連結体１３、１３は、上記第一の当接体１の右側縁の上記紐３３、３５に結び付けたりほどいたりできる。これにより、第四の当接体４と第一の当接体１とを右側で着脱自在に連結できるし、連結した状態で、右側で、第四の当接体４と第一の当接体１とが互いに角度を変えるのが許容される。
【００３５】
また、もう一つ第四の当接体４を用意し、この第四の当接体４の紐の第三の連結体１３、１３は、上記第一の当接体１の左側縁の上記紐３３、３５に結び付けたりほどいたりできる。これにより、第四の当接体４と第一の当接体１とを、左右両側で着脱自在に連結できるし、連結した状態で、左右両側で、第四の当接体４と第一の当接体１とが互いに角度を変えるのが許容される。
【００３６】
人体の臀部が鎮座当接する第一の当接体１の左右に第四の当接体４、４が連結されるので、第四の当接体４、４には、人体の左右の腰部側が当接可能で、腰部の押圧によって凹んで圧力を受け止めることができ、人体のこれらの部位にフレームその他の部分が直接当たるのを防ぐ。
【００３７】
第四の当接体４、４を第一の当接体１の左右に連結すると、上記第四の凹部４２、４２によって、本人体当接具の人体が当接する表側から反対側の裏側まで貫通した穴の状態となる。これにより、人体の左右の腰部から大腿部の通気性及び放熱性が向上し、暑いときの人体の冷却効果を高め、湿気が容易に発散され、快適となり、雑菌増殖を防ぎ、褥瘡も防げる。
【００３８】
また、第四の当接体４、４の上縁、下縁、左縁、右縁のうち、第一の当接体１の側である下縁に第四の凹部４２、４２が位置する。これにより、第二の当接体２及び第一の当接体１に第四の当接体４、４を連結した状態で、本人体当接具を持ち運びするとき、この第四の当接体４、４に手を掛けて容易に運ぶことができる。
【００３９】
特に、体の不自由な人または乳幼児が車椅子、椅子、シート、乳母車に乗っているときなどに、この人を移動させるとき、本人体当接具に人を乗せたまま、この第四の当接体４、４に手を掛けて持ち上げて容易に移動させることができる。
【００４０】
なお、この第四の当接体４、４は、第一の当接体１ではなく、第二の当接体２の左右の側縁に連結してもよい。この場合、この第四の当接体４、４の紐の第三の連結体１３、１３、１３、１３は、上記第二の当接体２の左右の側縁の上記紐３１、３３、３１、３３に結び付けたりほどいたりできる。これにより、第四の当接体４、４と第二の当接体２とを、左右両側で着脱自在に連結できるし、連結した状態で、左右両側で、第四の当接体４、４と第二の当接体２とが互いに角度を変えるのが許容される。
【００４１】
このような場合でも、第四の当接体４、４を第一の当接体１に連結した時と同様の作用効果を奏する。ただし、人体の左右の脇腹部から肩部の通気性及び放熱性が向上し、暑いときの人体の冷却効果を高め、湿気が容易に発散され、快適となり、雑菌増殖を防ぎ、褥瘡も防げる。
【００４２】
なお、第一の当接体１の左右側縁の中央、第二の当接体２の左右側縁の中央にも、紐を設けてもよい。この中央の紐に、上記第四の当接体４、４の紐の第三の連結体１３、１３を結んで、着脱自在に連結できる。このような場合でも、第三の当接体３または第四の当接体４を撓ませるなどして、第一の当接体１、第二の当接体２、第三の当接体３、第四の当接体４が互いに角度を変えるのが許容される。
【００４３】
このような、側面の第四の当接体４…は、複数同時に連結してもよく、左右合計６体を着脱自在に連結してもよい。このような第四の当接体４は、上記第三の当接体３と同じもの、または同じ構造なので、これらを付け替えて、一方を他方に転用でき、第三の当接体３及び第四の当接体４を効率的に使用、転用できる。
【００４４】
なお、連結する第四の当接体４…は、４体でもよいし、左右で異なった数を連結してもよいし、第四の当接体４…の一部または全部若しくは第三の当接体３は連結しなくてもよいし、複数を重ねて連結してもよい。第一の当接体１及び第二の当接体２の紐３１、３１、３３、３３、３５、３５とは別に、第三の当接体３または第四の当接体４…を連結するための紐、その他の連結手段が、第一の当接体１の側縁、第二の当接体２の側縁及び上縁に設けられてもよい。
【００４５】
（４）第一の当接体１及び第二の当接体２の内部構造
図４は上記第一の当接体１及び第二の当接体２の内部構造及び断面を示す。これら第一の当接体１及び第二の当接体２の内部には、発泡ウレタン製などのクッション性のあるクッション体４６が内蔵されており、このクッション体４６は第一の当接体１及び第二の当接体２の上述した形状と同じである。ただし、第一の溝２１…及び第二の溝２２…は当初は無く、縫合によって後に形成される。
【００４６】
このクッション体４６には、例えばアパタイト光触媒の素材が塗布されており、脱臭効果、防臭効果、消臭効果がある。このクッション体４６は発泡性で通気性及び放熱性がよく、さらに圧縮・復帰で空気が出入りして通気性及び放熱性がよい。したがって、湿気がこもらず、乾燥して、褥瘡を防止できる。このクッション体４６には、抗菌素材、殺菌素材が付加されてもよいし、加温素材が付加されてもよいし、吸湿素材が付加されてもよい。
【００４７】
上記クッション体４６の表側及び裏側、つまり内側及び外側には、バンブー繊維布４７が積層され、この表裏のバンブー繊維布４７の周縁は、クッション体４６の周縁に沿って互いに縫合されている。
【００４８】
これらバンブー繊維布４７、４７、クッション体４６の中央の複数個所は、上述のように一体に縫合されて、上記第一の溝２１…及び第二の溝２２…が形成されている。このバンブー繊維布４７には、グラフト共重合加工、その他の共重合が施されて、抗菌効果、消臭効果が付与され、耐久性、耐洗濯摩耗性が付与されている。
【００４９】
このバンブー繊維布４７の表面には、多数のパイル、またはマクロファイバーが形成され、吸水性、吸湿性が高くなっている。このバンブー繊維布４７には、光触媒機能が付加されてもよい。
【００５０】
このようなバンブー繊維布４７は、吸水性、吸湿性が高いため、人体からの汗を直ちに吸収でき、この吸収された汗などの湿気は、上記通気性の高い第一の溝２１…、第二の溝２２…、クッション体４６を通じて速く乾燥され、雑菌の繁殖を防ぎ、褥瘡を防止でき、放熱性も向上する。
【００５１】
そして、吸水するバンブー繊維布４７の表側の第一の溝２１…及び第二の溝２２…の通気性で乾燥させるとともに、このバンブー繊維布４７の裏側のクッション体４６の通気性で乾燥させるので、乾燥性に優れていて、褥瘡を防止でき、放熱性も向上する。
【００５２】
（５）第三の当接体３及び第四の当接体４の内部構造
図５は第三の当接体３及び第四の当接体４の内部構造及び断面を示す。第三の当接体３及び第四の当接体４は、弧状でカーブして湾曲した二枚の布が周縁に沿って縫合されている。この第三の当接体３及び第四の当接体４の内部には、多数の粒状物４８…が内蔵されている。
【００５３】
この粒状物４８…は、非常に軽量の樹脂などからなり、各粒状物４８…の間には多数の隙間が形成されている。これにより、粒状物４８…は、通気性及び放熱性がよい。したがって、湿気がこもらず、乾燥して、褥瘡を防止できる。このクッション体４６には、抗菌素材、殺菌素材が付加されてもよいし、加温素材が付加されてもよいし、吸湿素材が付加されてもよい。
【００５４】
この第三の当接体３及び第四の当接体４の表と裏の布は、例えば消臭布４９からなり、光触媒作用による抗菌、消臭、分解作用のある素材、例えば、二酸化チタン、ＣｄＳ、ＣｄＳｅ、ＷＯ３、Ｆｅ２Ｏ３、ＳｒＴｉＯ３、ＫＮｂＯを含む素材、シャインアップ（株式会社クラレの登録商標、繊維、布、綿）、ディスメル（東洋紡績株式会社の登録商標、東洋紡績株式会社の商品）、エピコモド（東洋紡績株式会社の登録商標、東洋紡績株式会社の商品）等が使用される。
【００５５】
この消臭布４９には、抗菌素材、殺菌素材が付加されてもよいし、加温素材が付加されてもよいし、吸湿素材が付加されてもよい。上記の粒状物４８は、小玉、ビーズ、チューブなどでもよい。チューブは中が空洞なので、通気性及び放熱性がさらに向上する。
【００５６】
この消臭布４９の外面の色彩、模様、形状、文字、図形、記号は、表面と裏面とで異なっているまたは有無の違いがある。これにより、第三の当接体３及び第四の当接体４の表面と裏面とを間違えない。
【００５７】
（６）第二実施形態
上記クッション体４６とバンブー繊維布４７との間、クッション体４６の中、バンブー繊維布４７の外側には、立体構造編物が積層されていてもよいし、クッション体４６が単層または複数層の立体構造編物に置き換えられてもよい。この立体構造編物は上記クッション体４６より薄く、体の圧力を分散する素材であるウレタンフォームからなる。
【００５８】
この立体構造編物は、固く撓みにくく、空隙率が高くて隙間が多く、厚さが薄い。この立体構造編物は、人体が当接して撓んで圧縮されても、立体構造編物の圧縮／撓みは小さく、足部との隙間が維持され、通気性、放湿性、乾燥性、放熱性が保たれ、蒸れが防止され、褥瘡が防止される。
【００５９】
このような立体構造編物の構造は、特開２００７−２７０３９４号公報、特開２００５−１７９８０８号公報、特開２００４−１０７８００号公報に示される。これらの公報に記載されていることは、本願発明の詳細な説明にも記載されているものとする。
【００６０】
このような立体構造編物は、表裏二層の編地と、この二層の編地の間を連結するフィラメントよりなっている。この表裏二層の編地は、六角形の集合体のハニカム構造、三角形の集合体の構造、四角形の集合体の碁盤格子構造等に編まれる。
【００６１】
このフィラメントは、上記表裏二層の編地の間を連結されるように編まれる。このフィラメントは、「Ｘ字状」「Ｖ字状」「逆Ｖ字状」「Ｍ字状」「Ｎ字状」「Ｗ字状」「Ｋ字状」「Ｙ字状」「Ａ字状」「逆Ａ字状」「□状」「□の中にＸのある状態」「Ｉ字状（多数平行フィラメント）」などの構造をなし、圧力がかかっても表裏二層が接触しにくい構造となっている。
【００６２】
このような構造をなすフィラメントは上記Ｘ字状などであっても、フィラメントどうしは連結されず分離独立されているが、連結されていてもよい。このフィラメント同士の間隔／隙間は、フィラメント自身の太さより数倍乃至十数倍、場合によって数倍乃至数十倍、さらに場合によって数倍乃至百数十倍ほどある。
【００６３】
これにより、上述のように、立体構造編物は、空隙率が高くて隙間が多くなり、人体が当接して撓んで圧縮されても、隙間が維持され、通気性、放湿性、乾燥性、放熱性が保たれ、蒸れが防止され、褥瘡が防止される。この立体構造編物には、抗菌素材、殺菌素材が付加されてもよいし、加温素材が付加されてもよいし、吸湿素材が付加されてもよいし、上記光触媒機能が付加されてもよい。
【００６４】
上記バンブー繊維布４７は吸湿性または吸水性の高い素材からなり、このバンブー繊維布４７の下には通気性及び放熱性の高い素材の立体構造編物が配置され、当該バンブー繊維布４７の上には上記第一の溝２１…または第二の溝２２…が形成されて通気性及び放熱性が保たれる。  これにより、第一の当接体１及び第二の当接体２第一覆い部の表面のバンブー繊維布４７で吸湿または吸水した汗が、この表面のバンブー繊維布４７の上と下の通気性及び放熱性のある構造、素材で早く乾燥され、褥瘡を防止でき、放熱性が向上する。
【００６５】
上述の各実施形態において、当該実施形態で記載されていないことは、他の実施形態の記載されている内容が参照及び引用される。本願明細書及び特許請求の範囲においては、上記複数の実施形態にわたって、各部または一部を入れ替えた実施形態も、上記各実施形態として記載されているものである。
【００６６】
（７）他の実施の形態
本発明は上記各実施例に限定されず、本発明の趣旨を逸脱しない範囲で種々変更可能である。例えば、本人体当接具は、車椅子、電動車椅子、乳母車、電動乳母車、事業用または家庭用の椅子、座椅子、車両シート、船舶または航空機などの乗り物のシート、飲食店、店舗、入浴施設、駅・空港・港・など乗り物の待合室・サービスエリアなどの交通施設、工場などの生産施設・加工施設、公園などの屋外施設、音楽・音響施設、映画・映像施設、保育園・学校・講堂などの教育施設、演芸施設、演劇施設、文化施設、芸能施設、パチンコホール・ゲームセンター・カラオケルームなどの娯楽施設、介護施設、高齢者施設、医療施設、健康施設、野球・競馬などのスポーツ施設、宿泊施設、結婚式場または葬儀式場などの冠婚葬祭施設、イベントホール・図書館・博物館・美術館・科学館などの公共施設、各種施設の座席など、人が座る場所に使用できる。
【００６７】
第一の当接体１、第二の当接体２、第三の当接体３、第四の当接体４、第三の凹部４１、第四の凹部４２の外形形状または断面形状は上記の形状のほか、長方形、円形、半円形、楕円形、半楕円形、平行四辺形、菱形、多角形、三角形、台形、環形、半環形、星形、扇形、曲線形状、十字形、Ｌ字形、Ｈ字形、Ｉ字形、Ｕ字形、Ｔ字形、Ｃ字形、Ｏ字形、Ｎ字形、Ｍ字形、Ｘ字形、Ｊ字形、Ｙ字形、Ｅ字形、Ｆ字形、Ｓ字形、Ｖ字形、曲面、角張った形状、角張った段差のある形状、丸みを帯びた段差のある形状、丸みを帯びた凹凸のある形状、これらの組み合わせ形状、網状、多数の穴があいたもの、これらの中央等に穴があいたもの、これらの複合形などでもよいし、大きさも任意に変更可能であり、個々が複数に折り畳み可能であったり、分割可能であったりしてもよい。
【００６８】
上記紐状の第二の連結体１２または紐状の第三の連結体１３は、第一の連結体１１のように、第三の当接体３または第四の当接体４の側縁の端から端までわたるものでもよい。この場合、第二の連結体１２または第三の連結体１３は、薄い布状になり、第三の当接体３の第三の凹部４１または第四の当接体４の第四の凹部４２は、人体当接具の表から裏まで貫通した穴とはならず、凹んだものとなる。
【００６９】
この場合、第二の連結体１２及び第三の連結体１３を網状とすれば、第三の当接体３の第三の凹部４１または第四の当接体４の第四の凹部４２は、人体当接具の表から裏まで貫通した穴となる。第二の連結体１２または第三の連結体１３が、このような網状であれば、上記通気性及び放熱性は保たれる。
【００７０】
この網状であれば、上記紐３１、３１、紐３３、３３、紐３５、３５を、この網に容易に結び付けたりほどいたりできるし、次述する面ファスナー、線ファスナーで代用してもよい。したがって、第三の当接体３の第三の凹部４１または第四の当接体４の第四の凹部４２のところに、第二の連結体１２または第三の連結体１３を設けることもできる。
【００７１】
上記第一の連結体１１、第二の連結体１２、第三の連結体１３、紐３１、３１、３３、３３、３５、３５は、環状の帯布、面ファスナー、線ファスナー、接着テープ、ボタン、フック、ホック、クリップ、挟み、磁石、ホチキス、ボルト及びナット、ねじ、水性または油性の接着剤による接着、糸による縫合、高周波溶着、一体縫合、紐など連結できれば何でもよい。
【００７２】
紐３１、３１、３３、３３、３５、３５は、第一の当接体１、第二の当接体２の左右両側縁のほか、第一の当接体１の前縁、後縁、前面、後面、表面、裏面、第二の当接体２の上縁、下縁、前面、後面、表面、裏面など、連結できればどこに設けてもよく、長さなどの寸法も任意である。
【００７３】
第二の連結体１２、第三の連結体１３、１３は、第三の当接体３、第四の当接体４の前縁、後縁、上縁、下縁、前面、後面、表面、裏面など、連結できればどこに設けてもよく、長さなどの寸法も任意である。
【００７４】
第三の当接体３と第四の当接体４とは、異なる大きさ、異なる厚さ、異なる形でもよい。第三の当接体３及び第四の当接体４は、第一の当接体１の側縁、第二の当接体２の側縁及び上縁のほか、第一の当接体１の前縁に着脱自在に連結されてもよいし、第一の当接体１または第二の当接体２の表面または裏面に着脱自在に連結されてもよい。
【００７５】
上記第一の溝２１…または第二の溝２２…は単数でも二本でもよいしもっと多くてもよいし、曲線状でもよいし、平行のほか、放射線状でもよいし、この放射線状は、第一の当接体１または第二の当接体２から外に向かって広がってもよいし、第一の当接体１または第二の当接体２の角または縁から内側に向かって広がってもよいし、第一の溝２１…または第二の溝２２…は、互いに交差したり、合流したり、分岐したりしてもよい。
【００７６】
第一の溝２１…または第二の溝２２…は、第一の当接体１及び第二の当接体２の連結方向／長手方向ではなく、横方向に延びていてもよい。第一の当接体１と第二の当接体２と重ねて折り畳んだとき、第一の溝２１…と第二の溝２２…第二溝１４は一部または全部、重ならないものでもよい。第一の溝２１…または第二の溝２２…は、細いＶ字状の溝以外に、幅の広い底が平坦な溝でもよい。
【００７７】
上記立体構造編物及びクッション体４６、第一の溝２１…、第二の溝２２…は、通気性及び放熱性の高いもの、乾燥機能のあるものならば何でもよく、例えば、粒状物または小玉ビーズを内蔵させて隙間を多く形成したもの、生石灰、塩化カルシウムなどの化学反応、潮解による乾燥素材、シリカゲル、酸化アルミニウム、ゼオライト、分子篩（Molecular sieve）、金属石鹸などの多孔質表面による乾燥素材でもよい。
【００７８】
上記バンブー繊維布４７、立体構造編物、クッション体４６、粒状物４８、消臭布４９は、上述のもののほか、光触媒加工された、抗菌、消臭作用のある素材、例えば、二酸化チタン、ＣｄＳ、ＣｄＳｅ、ＷＯ３、Ｆｅ２Ｏ３、ＳｒＴｉＯ３、ＫＮｂＯを含む素材、シャインアップ（繊維、布、綿、株式会社クラレの製品）、ディスメル（東洋紡績株式会社の商品）、エピコモド（東洋紡績株式会社の登録商標、東洋紡績株式会社の商品）、キチンキトサン繊維、「サニター３０」、繊維にカキタンニンを含むまたは付着された繊維、これらの混合物など、何でもよい。シャインアップは、ポリエステル繊維とナイロン繊維とからなる複合繊維に金属含有セラミックス系の特殊消臭剤が練り込まれており、二酸化チタンによる光触媒反応により消臭と抗菌効果が発揮される。
【００７９】
上記バンブー繊維布４７、立体構造編物、クッション体４６、粒状物４８、消臭布４９は、上述のもののほか、遠赤外線を発する素材、粉末鉄のように発熱効果のあるもの、ロンウェーブ、羊毛ゼオライト、溶岩シーツ（おとぎの国）、ヤンロン加工布、トルマリン粒子が付着した布またはバイネストセラなどを用いてもよい。「羊毛ゼオライト」、「バイネストセラ」は、天然鉱石であるゼオライトを加工したセラミックスとその微粒子を羊毛などの天然繊維の表面に堅牢に付着させたもの、これらの混合物でもよい。
【００８０】
上記バンブー繊維布４７、立体構造編物、クッション体４６、粒状物４８、消臭布４９の一部は他の一部と入れ替わってもよいし、上記バンブー繊維布４７、立体構造編物、クッション体４６、粒状物４８、消臭布４９の一部は省略されて小さくなってもよいし、逆に大きくなってもよい。
【００８１】
本人体当接具は裏返して使用可能である。この場合、第一の連結体１１、第二の連結体１２、第三の連結体１３は、第一の当接体１、第二の当接体２、第三の当接体３、第四の当接体４の周縁の中央線に沿って設けられてもよい。本四肢保護具は、人体全体のほか、頭部、手先、足先、上腕、前腕、大腿、下腿、胴体など、人体の一部など、種々の箇所に使用できる。使用するのは人体以外に、上記犬、猫、猿類、哺乳類、鳥類、爬虫類、その他の動物に使用可能である。
【００８２】
上述の第一の当接体１、第二の当接体２、第三の当接体３、第四の当接体４…、第一の連結体１１、第二の連結体１２、１２、第三の連結体１３、１３、第一の溝２１…、第二の溝２２…、紐３１、３１、ポケット３２、３２、紐３３、３３、ポケット３４、３４、紐３５、３５、ポケット３６、３６、第三の凹部４１、第四の凹部４２、クッション体４６、バンブー繊維布４７、粒状物４８、消臭布４９の一部または全部は省略されてもよいし、その数が増えても減ってもよいし、その形状は任意に変更可能であり、均等の他の物に置き換えられてもよいし、これらの２つまたは３つ以上が合体または一体化されて兼用されてもよいし、他のものがさらに付加・積層・混合されてもよいし、それぞれの寸法は上記以外でもよいし、それぞれの寸法の相対的大小は切り換えられてもよいし同じでもよいし、材質は繊維製、布製、軟質樹脂製、発泡性樹脂製のほか、硬質樹脂製、金属製、木製、紙製、ゴム製、表面に化粧紙が接着されたもの、竹製、木製、樹脂製、ガラス製、綿製、布製、糸製、繊維製、ゴム製、紙製、セラミック製、カーボン製、ウレタン製、これらの合成物製／混合物製／多層積層物製でもよいし、他のものがさらに付加・積層・混合されてもよい。
【００８３】
（８）他の発明の効果
［１］人体の臀部から大腿部の背面側に当接可能で、押圧によって凹んで圧力を受け止める第一の当接体と、  人体の背中側に当接可能で、押圧によって凹んで圧力を受け止める第二の当接体と、  これら第一の当接体と第二の当接体とを連結し、これら第一の当接体と第二の当接体とが互いに角度を変えるのを許容する第一の連結体と、  人体の後頭部側に当接可能で、押圧によって凹んで圧力を受け止める、上記第二の当接体に着脱自在に取り付けられる第三の当接体と、  これら第二の当接体と第三の当接体とを着脱自在に連結し、これら第二の当接体と第三の当接体とが互いに角度を変えるのを許容する第二の連結体と、  上記第二の当接体の側において、この第三の当接体の縁を凹ませて当該縁が湾曲され、頭部の幅にほぼ等しい幅の第三の凹部とを備えたことを特徴とする人体当接具。
【００８４】
［２］上記第三の凹部は、人体当接具の人体が当接する表側から反対側の裏側まで貫通した穴の状態であり、上記第二の連結体は、この穴の状態の第三の凹部の両端の第三の当接体と第二の当接体との間に設けられていることを特徴とする請求項１記載の人体当接具。
【００８５】
これにより、人体の後頭部から首筋の通気性及び放熱性が向上し、暑いときの人体の冷却効果を高め、湿気が容易に発散され、快適となり、雑菌増殖を防ぎ、褥瘡も防げる。また、上記第二の連結体は、この穴の状態の第三の凹部の両端の第三の当接体と第二の当接体との間に設けられることになる。これにより、貫通穴の状態の第三の凹部が、第二の連結体でふさがれることがなく、上記通気性及び放熱性が保たれる。
【００８６】
さらに、第三の当接体の上縁、下縁、左縁、右縁のうち、第二の当接体の側である下縁に第三の凹部が位置する。これにより、第二の当接体及び第一の当接体に第三の当接体を連結した状態で、本人体当接具を持ち運びするとき、この第三の凹部に手を掛けて容易に運ぶことができる。
【００８７】
［３］人体の左右の腰付近の外側に当接可能で、押圧によって凹んで圧力を受け止める、上記第二の当接体に着脱自在に取り付けられる第四の当接体と、  上記第一の当接体または上記第二の当接体とこの第四の当接体とを着脱自在に連結し、これら第一の当接体または第二の当接体と第四の当接体とが互いに角度を変えるのを許容する第三の連結体と、  上記第一の当接体の側において、この第四の当接体の縁を凹ませて当該縁が湾曲され、頭部の幅にほぼ等しい幅の第四の凹部とをさらに備えたことを特徴とする請求項２記載の人体当接具。
【００８８】
これにより、人体の左右両側面にフレームが当たっても不快感が無くなり、すわり心地または乗り心地が良くなる。
【００８９】
［４］上記第四の凹部は、人体当接具の人体が当接する表側から反対側の裏側まで貫通した穴の状態であり、上記第三の連結体は、この穴の状態の第四の凹部の両端の第四の当接体と第一の当接体または第二の当接体との間に設けられていることを特徴とする請求項３記載の人体当接具。
【００９０】
これにより、人体の大腿部から肩までの左右両側面の通気性及び放熱性が向上し、暑いときの人体の冷却効果を高め、湿気が容易に発散され、快適となり、雑菌増殖を防ぎ、褥瘡も防げる。また、上記第三の連結体は、この穴の状態の第四の凹部の両端の第四の当接体と第一の当接体又は第二の当接体との間に設けられることになる。したがって、貫通穴の状態の第三の凹部が、第二の連結体でふさがれることがなく、通気性及び放熱性が保たれる。
【００９１】
また、体の不自由な人または乳幼児が車椅子、椅子、シート、乳母車に乗っているときなどに、この人を移動させるとき、人体当接具に人を乗せたまま、この第四の当接体の第四の凹部または第三の当接体の第三の凹部に手を掛けて持ち上げて容易に移動させることができる。
【００９２】
［５］上記第三の当接体と第四の当接体とは同じものであることを特徴とする請求項４記載の人体当接具。  これにより、第三の当接体と、第四の当接体とを付け替えて、一方を他方に転用でき、第三の当接体及び第四の当接体を効率的に使用、転用できる。
【００９３】
［６］上記第一の当接体の人体が当接する表側には、当該第一の当接体の縁まで達する複数の第一の溝が形成され、  上記第二の当接体の人体が当接する表側には、当該第二の当接体の縁まで達する複数の第二の溝が形成され、  これら第一の当接体と第二の当接体とを重ねたとき、これら第一の溝と第二の溝とが重なりあうことを特徴とする請求項５記載の人体当接具。
【００９４】
これにより、第一の溝と第二の溝とが途中でふさがれず、第一の当接体の第二の当接体との折り畳んだ内部、つまり人体当接具の内部が、重なりあって太くなった第一の溝及び第二の溝で外とつながり、重ねても通気性が向上し、第一の当接体及び第二の当接体に吸収された汗などの湿気が容易に発散され、快適となり、雑菌増殖を防ぎ、褥瘡も防げる。
【産業上の利用可能性】
【００９５】
後頭部・人体側面の当接体に凹部・穴を設けて、通気性・放熱性向上させる。凹部・穴に手を掛けて体の不自由な人を容易に持ち上げて運べるようにする。車椅子などのシートの人体への当接を快適にし、体が不自由な人体の移動を容易にする。
【００９６】
連結された第一の当接体１及び第二の当接体２の上縁または左右の側縁に、湾曲して凹部４１、４２を有する第三の当接体３及び第四の当接体４を、紐の第二の連結体１２及び第三の連結体１３で、着脱自在に連結する。
【００９７】
これにより、後頭部、人体の左右両側面に車椅子などのフレームが当たっても不快にならない。体が不自由な人を移動させるとき、第三の当接体３の第三の凹部４１及び第四の当接体４の第四の凹部４２に手を掛けて持ち上げて人を乗せたまま容易に移動できる。
【符号の説明】
【００９８】
１…第一の当接体  ２…第二の当接体  
３…第三の当接体  ４…第四の当接体
１１…第一の連結体  １２…第二の連結体（紐）
１３…第三の連結体（紐）
２１…第一の溝  ２２…第二の溝
３１…紐  ３２…ポケット
３３…紐  ３４…ポケット
３５…紐  ３６…ポケット
４１…第三の凹部  ４２…第四の凹部
４６…クッション体  ４７…バンブー繊維布
４８…粒状物  ４９…消臭布
【図１】
0006340340.tif 000002
【図２】
0006340340.tif 000003
【図３】
0006340340.tif 000004
【図４】
0006340340.tif 000005
【図５】
0006340340.tif 000006